(57)【要約】【課題】  リモコンに兼用キーがあるとき、兼用キーを１回操作することによって、ユーザが所望するいずれかの動作を実行できるようにする。【解決手段】  リモコン４からの操作信号を受けるメイン制御装置６は、兼用キー２０による操作信号を受けたとき、キーコード判断部１５により操作信号のキーコードを判別する。そのキーコードに対応したステータスコマンドを通信処理部１１により、サブ制御装置８に送信する。サブ制御装置８は、現在の動作状態から受信したステータスコマンドが有効か無効かを判断し、その結果をメイン制御装置６に送信する。有効のとき、サブ制御装置８による動作モードにおいて、操作信号に応じて動作する。無効のとき、メイン制御装置６による動作モードにおいて、操作信号に応じて動作する。【選択図】  図１
2005197928.tif 000002
【特許請求の範囲】
【請求項１】
異なる動作モードをそれぞれ実行する複数の制御装置と、前記動作モードを実行させるための操作信号を入力する操作装置とから構成され、該操作装置は、複数の動作モードの動作に対応した兼用キーを有し、各制御装置は、互いに通信可能とされ、各制御装置のうち、メイン制御装置は、前記操作装置からの操作信号を受け付ける受付手段と、前記兼用キーによる操作信号を受けたとき、他の制御装置に前記操作信号が有効か無効かを確認する問い合わせ手段とを有し、他の制御装置は、前記メイン制御装置からの問い合わせに対して応答する応答手段を有し、他の制御装置は、有効であると判断したとき、前記操作信号に応じた動作を行い、前記メイン制御装置は、他の制御装置から無効の応答があったとき、自己の動作モードにおいて前記操作信号に応じた動作を行うことを特徴とする電子機器制御装置。
【請求項２】
メイン制御装置は、兼用キーによる操作信号が有効か無効かの確認のために、前記操作信号に応じたステータスコマンドを選択して他の制御装置に送信し、他の制御装置は、現在の動作状態から前記ステータスコマンドが有効か無効かを判断することを特徴とする請求項１記載の電子機器制御装置。
【請求項３】
各制御装置は、記録再生機器を制御し、メイン制御装置は、前記記録再生機器に接続された出力機器を制御することを特徴とする請求項１または２記載の電子機器制御装置。
【発明の詳細な説明】
【技術分野】
【０００１】
本発明は、複数の電子機器を組み合わせた複合機を操作装置によって操作するための電子機器制御装置に関する。
【背景技術】
【０００２】
複数の記録再生機器あるいは記録再生機器とテレビジョン受像機といったように複数の電子機器を組み合わせた複合機を操作するとき、リモートコントロール装置（以下、リモコンと称する）が使用される。リモコンには、複数の操作キーが設けられている。これらの操作キーの中には、異なる電子機器を動作させるための兼用キーがある。
【０００３】
兼用キーが操作されたとき、いずれの電子機器に対しての操作なのか判断しなければならない。例えば、特許文献１では、リモコンに、２つの電子機器のいずれか１つを選択するための選択キーが設けられている。選択キーの操作によって、１つの電子機器が選択され、兼用キーの操作対象が切り換えられる。
【特許文献１】実用新案登録第３０９００８６号公報
【発明の開示】
【発明が解決しようとする課題】
【０００４】
上記のリモコンでは、選択キーを操作してから兼用キーを操作しなければならず、ユーザに負担がかかる。また、選択キーの操作を忘れて、兼用キーのみを操作すると、所望の動作が行われない。そのため、正常であるにもかかわらず、何か故障が発生したのかと、ユーザに誤解するおそれがある。
【０００５】
本発明は、上記に鑑み、ユーザに負担をかけずに、兼用キーによる動作を適切に行なえるようにした電子機器制御装置の提供を目的とする。
【課題を解決するための手段】
【０００６】
本発明は、異なる動作モードをそれぞれ実行する複数の制御装置と、前記動作モードを実行させるための操作信号を入力する操作装置とから構成され、該操作装置は、複数の動作モードの動作に対応した兼用キーを有し、各制御装置は、互いに通信可能とされる。各制御装置の中のメイン制御装置は、操作装置からの操作信号を受け付ける受付手段と、兼用キーによる操作信号を受けたとき、他の制御装置に操作信号が有効か無効かを確認する問い合わせ手段とを有する。他の制御装置は、メイン制御装置からの問い合わせに対して応答する応答手段を有する。
【０００７】
すなわち、操作信号は現在実行中の動作モードに対する命令であるので、現在の動作モードがいずれの制御装置によって実行されているのかわかれば、その操作信号に応じた動作を行える。そこで、メイン制御装置は、兼用キーによる操作信号が実行中の動作モードにおいて有効か無効かの確認する。そのために、メイン制御装置は、操作信号に応じたステータスコマンドを選択して、このステータスコマンドを他の制御装置に送信する。
【０００８】
他の制御装置は、現在の動作状態からステータスコマンドが有効か無効かを判断して、判断結果をメイン制御装置に送信する。ステータスコマンドが有効であれば、操作信号に応じた動作が可能であり、無効であれば、操作信号に応じた動作は不可能である。これによって、メイン制御装置は、現在の動作モードを認識でき、これに応じた制御を行う。
【０００９】
すなわち、他の制御装置が有効であると判断したとき、この制御装置が動作モードを実行しているので、動作モードにおいて操作信号に応じた動作を行う。メイン制御装置は、この動作モードに関連した操作信号を受けると、他の制御装置と協働して、動作を実行する。他の制御装置が無効であると判断したとき、メイン制御装置は、自己の動作モードにおいて操作信号に応じた動作を行う。
【発明の効果】
【００１０】
本発明によると、兼用キーが操作されたとき、現在の動作モードを判断することによって、兼用キーに応じた正しい動作を確実に実行させることができる。したがって、動作モードを選択するための選択キーを別に設ける必要がなくなるので、キー数が増加せず、しかもキー操作を複数回しなくてよく、操作の簡略化を図れる。
【発明を実施するための最良の形態】
【００１１】
本実施形態の複数の電子機器を組み合わせた複合機を図１に示す。電子機器は、テレビジョン受像機１と記録再生装置２の２つとされる。テレビジョン受像機１および記録再生装置２は、１つの筐体３内に組み込まれ、リモコン４によって操作される。
【００１２】
テレビジョン受像機１は、ＣＲＴ、映像処理回路等からなる表示部５と、表示部５を制御するメイン制御装置６とを備える。記録再生装置２は、ＤＶＤ、ハードディスク等のデジタル記録媒体に対して映像および音声の記録、再生を行うための記録再生部７と、記録再生部７を制御するサブ制御装置８とを備える。テレビジョン受像機１は、記録再生装置用の出力機器である。なお、テレビジョン受像機１および記録再生装置２は公知の構造であるので、詳細な説明は省略する。
【００１３】
メイン制御装置６は、マイコンからなり、制御部１０、通信処理部１１を有する。サブ制御装置８もマイコンからなり、制御部１２、通信処理部１３を有する。メイン制御装置６とサブ制御装置８とは、通信線によって接続される。それぞれの通信処理部１１、１３が、Ｉ２Ｃバスによる通信あるいはＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）による通信を行う。テレビジョン受像機１に、リモコン４からの操作信号を受け付ける受信部１４が設けられている。受信部１４は、メイン制御装置６のキーコード判断部１５に接続される。リモコン４の操作信号は、操作キーに対応したキーコードを含んでいる。キーコード判断部１５は、書き換え可能なメモリ１６に記憶されているコードテーブルを参照して、受信した操作信号のキーコードの内容を判断する。なお、コードテーブルは、マイコン内のＲＯＭに記憶してもよい。
【００１４】
そして、サブ制御装置８は、記録媒体に対して記録および再生を行う記録再生モードを実行する。メイン制御装置６は、テレビ放送の表示を行うテレビモードを実行する。さらに、リモコン４からの操作信号に応じてサブ制御装置８の動作を制御するとともに、サブ制御装置８からの映像音声信号を表示部５に出力する。
【００１５】
リモコン４は、複数の操作キーを有し、赤外線等の無線による操作信号を送信する。操作キーには、数字キー１８と、再生、記録、早送り、早戻し、録画等の記録再生装置用の操作キー１９と、兼用キー２０とがある。兼用キー２０は、記録再生装置２あるいはテレビジョン受像機１におけるそれぞれの動作モードを実行させるためのキーである。具体的には、テレビモード時の音量アップダウンあるいは記録再生モード時のメニュ画面のカーソルの左右移動を行うキーと、テレビモード時のチャンネルの切り換えあるいは記録再生モード時のメニュ画面のカーソルの上下移動を行うキーである。
【００１６】
そして、メイン制御装置６は、兼用キー２０による操作信号を受けたとき、サブ制御装置８に操作信号が有効か無効かを確認する問い合わせ機能を有する。サブ制御装置８は、メイン制御装置６からの問い合わせに対して、応答する応答機能を有する。サブ制御装置８は、現在の動作状態に基づいて操作信号が有効であるか無効であるかを判断して、これを応答する。
【００１７】
サブ制御装置８が、有効と判断したとき、この操作信号に応じた動作を行う。無効と判断したとき、メイン制御装置６は、この操作信号に応じた動作を行う。このように、メイン制御装置６とサブ制御装置８とリモコン４とから本発明の電子機器制御装置は構成される。
【００１８】
次に、リモコン４の兼用キー２０が操作されたときの上記電子機器制御装置の動作を図２に基づいて説明する。ユーザが兼用キー２０の音量／カーソル移動キーを操作すると、リモコン４は、兼用キー２０に応じた操作信号を送信する。操作信号が受信部１４を通じてメイン制御装置６に入力されると、メイン制御装置６のキーコード判断部１５は、入力された操作信号中のキーコードの内容を判断する。制御部１０は、キーコード判断部１５からのデータに基づいて、兼用キー２０による操作信号であるか判断する。
【００１９】
ここで、操作キーのキーコードに対応して、それぞれステータスコマンドが割り当てられている。例えば、兼用キー２０である音量／カーソル移動キーにはディスプレイステータスコマンド、メニュキーには再生ステータスコマンド、プレイキーには電源ステータスコマンドが割り当てられている。ステータスコマンドは、現在の動作状態を確認するためのコマンドである。
【００２０】
メイン制御装置６は、キーコードから兼用キー２０による入力であると判断したとき、キーコードに対応したステータスコマンドとしてディスプレイステータスコマンドを選択する。そして、サブ制御装置８にディスプレイステータスコマンドを送信する。サブ制御装置８は、このステータスコマンドを受信すると、現在の動作状態に基づいてステータスコマンドが有効か無効かを判断する。すなわち、操作信号に基づく動作が可能か否かを判断する。
【００２１】
サブ制御装置８が記録再生モードを実行しているとき、ステータスコマンドは有効である。そこで、サブ制御装置８は、有効であるとメイン制御装置６に返信する。その後、メイン制御装置６は、記録再生モードが実行中であることを認識し、操作信号に応じた動作を行う。すなわち、表示部５において記録再生関連のメニュ画面が表示されているので、メイン制御装置６は、カーソルを右あるいは左に移動させ、サブ制御装置８は、カーソルの移動によって選択された動作を行う。
【００２２】
記録再生モードが実行されていないとき、ステータスコマンドは無効であるので、サブ制御装置８は、無効であると返信する。メイン制御装置６は、テレビモードが実行中であることを認識し、操作信号に応じた動作を行う。すなわち、音量をアップあるいはダウンする。
【００２３】
このように、ユーザがリモコン４の兼用キー２０を操作すると、メイン制御装置６は、サブ制御装置８との通信によって現在の動作モードを把握して、操作信号に応じた適切な動作を行う。したがって、ユーザの所望する動作を確実に実行することができる。
【００２４】
なお、本発明は、上記実施形態に限定されるものではなく、本発明の範囲内で上記実施形態に多くの修正および変更を加え得ることは勿論である。本実施形態のような電子機器を組み合わせた複合機以外に、ＤＶＤ、ハードディスク等のデジタル記録再生装置とビデオテープのアナログ記録再生装置との組み合わせ、アナログ記録再生装置とテレビジョン受像機との組み合わせ、デジタル記録再生装置同士の組み合わせ、アナログ記録再生装置同士の組み合わせであってもよい。あるいは上記のような映像音響機器とパソコンとの組み合わせであってもよい。また、電子機器を３つ以上組み合わせてもよく、各電子機器にそれぞれ制御装置を設け、その中の１つをメイン制御装置とする。
【００２５】
そして、電子機器制御装置は、複合機に一体的に設けられた形態に限らず、独立した形態としてもよく、各電子機器と通信可能に接続すればよい。また、操作装置としてのリモコンに代わって、複合機に一体的に設けられた操作パネルが操作装置であってもよい。
【図面の簡単な説明】
【００２６】
【図１】本発明のテレビジョン受像機と記録再生装置とを組み合わせた複合機の概略ブッロク図
【図２】兼用キーを操作したときの電子機器制御装置の動作を示すフローチャート
【符号の説明】
【００２７】
１    テレビ所運受像機
２    記録再生装置
４    リモコン
６    メイン制御装置
８    サブ制御装置
２０    兼用キー
【図１】
2005197928.tif 000003
【図２】
2005197928.tif 000004